(57)【特許請求の範囲】
【請求項１】
薬液が収容される中空状の収容部が板状部に形成された容器本体部と、
前記収容部と連続される首部を介して、前記収容部に連接される蓋部と、
この蓋部に連接されると共に前記容器本体部に破断可能に連接され、前記蓋部を前記首部から切り離す際の摘み部と、
前記摘み部に破断可能に連接されると共に、前記容器本体部とは切り離されないように連接され、前記摘み部の前記容器本体部からの破断を規制する規制部とを備え、
前記規制部を前記摘み部から破断することで、前記摘み部の前記容器本体部からの破断の規制が解除される
ことを特徴とする薬液容器。
【請求項２】
前記規制部は、前記摘み部を取り囲む形状に形成されると共に、下端部が前記容器本体部に連接されており、
前記摘み部に対して、左右方向中央部において、左右方向または板面と直交する方向に離脱可能とされている
ことを特徴とする請求項１に記載の薬液容器。
【請求項３】
前記規制部は、前記摘み部を取り囲む形状に形成されると共に、下端部が前記容器本体部に連接されており、
前記摘み部に対して、板面と直交する方向に離脱可能とされている
ことを特徴とする請求項１に記載の薬液容器。
【発明の詳細な説明】
【技術分野】
【０００１】
本発明は、内部に薬液が封入される使い捨ての薬液容器に関するものである。
【背景技術】
【０００２】
出願人は先に、下記特許文献１に開示される薬液容器を提案している。この薬液容器では、容器本体（１）と摘み部（２）とが破断可能に連接されており、容器本体（１）に対して摘み部（２）をねじることで、容器本体（１）から摘み部（２）が切り離されて開封される。ここで、括弧書きの符号は、下記特許文献１中における符号である。
【０００３】
容器内に封入された薬液は、使用方法や使用量が決められており、間違った使い方をすると、重大な事故につながるおそれがある。しかしながら、従来のねじって開封する薬液容器は、ねじるだけで開封できるため、小さな子供でも容易に開封できるものであった。そのため、小さな子供が、容器内に封入された薬液を勝手に使用したり、遊び道具にしたりするおそれがあった。
【先行技術文献】
【特許文献】
【０００４】
【特許文献１】特開２００４−８３１１５号公報
【発明の概要】
【発明が解決しようとする課題】
【０００５】
本発明が解決しようとする課題は、小さな子供が容易に開封できない薬液容器を提供することにある。
【課題を解決するための手段】
【０００６】
本発明は、前記課題を解決するためになされたもので、請求項１に記載の発明は、薬液が収容される中空状の収容部が板状部に形成された容器本体部と、前記収容部と連続される首部を介して、前記収容部に連接される蓋部と、この蓋部に連接されると共に前記容器本体部に破断可能に連接され、前記蓋部を前記首部から切り離す際の摘み部と、前記摘み部に破断可能に連接されると共に、前記容器本体部とは切り離されないように連接され、前記摘み部の前記容器本体部からの破断を規制する規制部とを備え、前記規制部を前記摘み部から破断することで、前記摘み部の前記容器本体部からの破断の規制が解除されることを特徴とする薬液容器である。
【０００７】
請求項１に記載の発明によれば、規制部を摘み部から破断することで、摘み部の容器本体部からの破断の規制が解除されて開封可能となる。これにより、薬液容器は、小さな子供が容易に開封できないものとすることができる。
【０００８】
請求項２に記載の発明は、前記規制部は、前記摘み部を取り囲む形状に形成されると共に、下端部が前記容器本体部に連接されており、前記摘み部に対して、左右方向中央部において、左右方向または板面と直交する方向に離脱可能とされていることを特徴とする請求項１に記載の薬液容器である。
【０００９】
請求項２に記載の発明によれば、摘み部を取り囲む形状の規制部が、摘み部に対して、左右方向中央部において、左右方向または板面と直交する方向に離脱されることで、摘み部の容器本体部からの破断の規制が解除されて開封可能となる。このようにして、簡易な構成で、小さな子供が容易に開封できないものとすることができる。
【００１０】
さらに、請求項３に記載の発明は、前記規制部は、前記摘み部を取り囲む形状に形成されると共に、下端部が前記容器本体部に連接されており、前記摘み部に対して、板面と直交する方向に離脱可能とされていることを特徴とする請求項１に記載の薬液容器である。
【００１１】
請求項３に記載の発明によれば、摘み部を取り囲む形状の規制部が、摘み部に対して板面と直交する方向に離脱されることで、摘み部の容器本体部からの破断の規制が解除されて開封可能となる。このようにして、簡易な構成で、小さな子供が容易に開封できないものとすることができる。
【発明の効果】
【００１２】
本発明によれば、小さな子供が容易に開封できない薬液容器を提供することができる。
【図面の簡単な説明】
【００１３】
【図１】本発明の薬液容器の実施例１を示す正面図である。
【図２】図１におけるII−II断面図である。
【図３】図１におけるIII−III断面図である。
【図４】図１の薬液容器の斜視図であり、摘み部の容器本体部からの破断の規制が解除された状態を示している。
【図５】図１の薬液容器の斜視図であり、開封された状態を示している。
【図６】本発明の薬液容器の実施例２を示す正面図である。
【図７】図６の薬液容器の斜視図であり、摘み部の容器本体部からの破断の規制が解除された状態を示している。
【発明を実施するための形態】
【００１４】
以下、本発明の具体的実施例を図面に基づいて詳細に説明する。
【実施例１】
【００１５】
図１から図３は、本発明の薬液容器の実施例１を示す図であり、図１は正面図、図２は図１におけるII−II断面図、図３は図１におけるIII−III断面図である。本実施例の薬液容器１は、薬液２が収容される中空状の収容部３が板状部４に形成された容器本体部５と、収容部３と連続される首部６を介して収容部３に連接される蓋部７と、蓋部７を首部６から切り離す際の摘み部８と、摘み部８の容器本体部５からの破断を規制する規制部９とを備える。本実施例の薬液容器１は、正面視略長方形状とされ、上下長さが約７０〜約９０ｍｍ、左右幅が約１１ｍｍに形成されており、透明とされる。
【００１６】
本実施例の薬液容器１は、樹脂管（パリソン）がブロー成形により一体的に成形されたものであり、その内部に薬液が充填、密封されている。かかる薬液容器はいわゆるブロー・フィル・シールシステム（ＢＦＳシステム）と称される、容器の成形と薬液の充填、密封を同時に行なうシステムにより製造される。かかるＢＦＳシステムでは、パリソンを金型で挟んだ状態で空気を吹き込んで金型壁面に樹脂を密着させることにより容器を成形する手段（本明細書では、かかる手段を「ダイレクトブロー成形」と呼ぶ）、または金型の各所に孔径０．３ｍｍ程度の細孔を設け、この細孔を通じて金型とパリソンの間の隙間を吸引して真空若しくは減圧状態にして金型壁面に樹脂を密着させることにより容器を成形する手段（本明細書では、かかる手段を「吸引成形」と呼ぶ）を単独で若しくは組み合わせることにより薬液容器が製造される。一般的には、大型〜中型の薬液容器を製造する場合には、ダイレクトブロー成形が主として用いられ、小型の薬液容器を製造する場合には、吸引成形が主として用いられる。
【００１７】
本実施例の薬液容器１は、低密度ポリエチレンからなるパリソンが上述した吸引成形により一体的に成形されたものである。薬液容器１の原料樹脂は、通常の薬液容器に使用される熱可塑性樹脂であれば特に限定されるものではないが、成形の容易性、製造コスト等を考慮すると、例えばポリエチレン、ポリプロピレン、酢酸ビニル共重合体、ポリスチレン、ポリエチレンテレフタレート等を使用することが好ましい。また、これらの原料樹脂は単層でも多層でも使用することができる。
【００１８】
収容部３は、上方へ開口した略楕円形の筒状に形成されている。収容部３の上部は、テーパ状に絞られており、上方へ行くに従って縮径して形成されている。収容部３の底面は、下方へ膨出した緩やかな略球面状に形成されている。なお、収容部３は、薬液２の滴下の便宜を考慮して、薄肉で押圧変形可能に形成されることが好ましい。
【００１９】
収容部３内に封入される薬液２は、ネブライザーに用いられる吸入液とされる。なお、収容部３内に封入される薬液２は、特に限定されるものではないが、通常は、点眼用、点鼻用、点耳用および滴下、投与量を一定に維持する必要のある薬液が封入される。
【００２０】
このような構成の収容部３は、板状部４の上部に形成されている。具体的には、板状部４内に、板状部４から前方および後方へ膨出して収容部３が形成されている。板状部４は、上下方向が長手方向とされる略長方形の板状に形成されている。板状部４の左右両端部には、下方へ凹んで段部１０，１０が形成されている。板状部４は、収容部３よりも下部側の領域が、前後方向に厚く形成されている。本実施例では、その下部側の厚板部１１は、中空状に形成されているが、中実状に形成してもよい。
【００２１】
首部６は、略円筒状とされ、その軸線を上下方向に沿って配置されている。首部６の周側壁の上部は、径方向外側へ断面略三角形状に膨出して形成されている。これにより、首部６の周側壁の上端部は、径方向外側へ行くに従って下方へ傾斜する傾斜部１２とされている。首部６は、収容部３の上端部から上方へ突出するように、収容部３と連続している。この際、首部６の内穴は、収容部３の上端部開口を介して、収容部３と連通されている。
【００２２】
蓋部７は、下方へ開口した略短円筒状に形成されており、下端部には、径方向内側へ延出して円環状の水平部１３が形成されている。蓋部７は、首部６の上端部開口を閉塞するように、首部６に連接されている。具体的には、蓋部７の水平部１３の内周縁部と、首部６の傾斜部１２の上端部とが連接されており、水平部１３と傾斜部１２とで断面略Ｖ字状の溝１４が形成されている。この溝１４の最深部は、その他の箇所と比較して十分に薄肉状に形成されている。そのため、溝１４を構成する水平部１３と傾斜部１２とは、容易に切り離すことができる。すなわち、蓋部７と首部６との間は、破断可能に連接されている。
【００２３】
摘み部８は、上下方向が長手方向とされる略長方形の板状とされており、上端辺が円弧状に形成され、下端部が左右に二股に分かれて形成されている。摘み部８の上部は、前後方向に厚く形成されており、その厚板部１５は、本実施例では中空状に形成されているが、中実状に形成してもよい。図２に示すとおり、厚板部１５は、その前面および後面が、上下方向中央部が凹んだ緩やかな縦断面略円弧状に形成されているため、指で摘まみ易い。なお、摘み部８の左右両側の下端部には、その前面および後面に突起物１６，１６が形成されている。この突起物１６は、成形時に後述する薄肉部を形成するために、余剰した樹脂を逃がした結果形成された突起状の肉溜まりである。
【００２４】
摘み部８は、上下方向に沿って配置され、蓋部７の外面に取り囲むように連接されている。さらに、摘み部８は、線状の薄肉部１７，１７を介して、板状部４および首部６に連接されている。具体的には、摘み部８の左側の下端部が、一方の薄肉部１７を介して、収容部３の左側の板状部４上端部および首部６の外周面左側部と連接されていると共に、摘み部８の右側の下端部が、他方の薄肉部１７を介して、収容部３の右側の板状部４上端部および首部６の外周面右側部と連接されている。そのため、摘み部８は、薄肉部１７に沿って破断することができる。
【００２５】
規制部９は、正面視逆Ｕ字形の板状とされ、左右方向中央部には、線状の薄肉部１８が上下方向に沿って形成されている。規制部９は、薄肉部１８に沿って、下方へ二股分かれする左右一対の板片１９，１９に分離可能とされている。各板片１９の上端部は、前後方向に厚く形成されており、その各厚板部２０は、本実施例では中空状に形成されているが、中実状に形成してもよい。
【００２６】
規制部９は、上下方向に沿って配置され、摘み部８を取り囲むようにして、摘み部８に破断可能に連接されている。具体的には、摘み部８の外側縁部に、逆Ｕ字形の線状の薄肉部２１を介して、規制部９の内側縁部が連接されている。さらに、規制部９は、左側の板片１９の下端部が収容部３の左側の板状部４に形成された段部１０に連接されていると共に、右側の板片１９の下端部が収容部３の右側の板状部４に形成された段部１０に連接されている。以上のような構成であるため、摘み部８は、規制部９によって、容器本体部５からの破断が規制されている。
【００２７】
次に、本実施例の薬液容器１の開封について説明する。図４および図５は、図１の薬液容器を示す図であり、図４は、摘み部の容器本体部からの破断の規制が解除された状態を示す斜視図、図５は、開封された状態を示す斜視図である。
【００２８】
本実施例の薬液容器１を開封するには、まず、図４に示すように、規制部９を摘み部８から離脱させればよい。具体的には、各板片１９の厚板部２０を摘まんで、左右方向へ互いに離隔するように引っ張ることで、薄肉部１８に沿って板片１９，１９が分離されると共に、薄肉部２１に沿って摘み部８から各板片１９が破断される。これにより、摘み部８の容器本体部５からの破断の規制が解除される。この際、各板片１９は、下端部が板状部４に連接されており、板状部４から切り離されない。その後、図４の状態から図５に示すように、摘み部８の厚板部１５を摘まんで、容器本体部５に対して摘み部８をねじることで、薄肉部１７に沿って板状部４および首部６から摘み部８が破断されると共に、首部６から蓋部７が破断されて、薬液容器１が開封される。
【実施例２】
【００２９】
図６および図７は、本発明の薬液容器の実施例２を示す図であり、図６は正面図、図７は、摘み部の容器本体部からの破断の規制が解除された状態を示す斜視図である。本実施例２の薬液容器１も、基本的には前記実施例１と同様の構成である。そこで、以下においては、両者の異なる点を中心に説明し、対応する箇所には同一の符号を付して説明する。
【００３０】
本実施例の場合、規制部９は、正面視逆Ｕ字形の板状に形成されている。規制部９の上端部は、前後方向に厚く形成されており、その厚板部２０は、本実施例では中空状に形成されているが、中実状に形成してもよい。厚板部２０は、その前面および後面が、上下方向中央部が凹んだ緩やかな縦断面略円弧状に形成されているため、指で摘まみ易い。
【００３１】
規制部９は、上下方向に沿って配置され、摘み部８を取り囲むようにして、摘み部８に破断可能に連接されている。具体的には、摘み部８の外側縁部に、逆Ｕ字形の線状の薄肉部２１を介して、規制部９の内側縁部が連接されている。さらに、規制部９は、左側の下端部が、収容部３の左側の板状部４に形成された段部１０に連接されていると共に、右側の下端部が、収容部３の右側の板状部４に形成された段部１０に連接されている。従って、摘み部８は、規制部９によって、容器本体部５からの破断が規制されている。
【００３２】
以上のような構成の規制部９は、図７に示すように、摘み部８に対して、板状部４の板面と直交する方向に離脱させることができる。具体的には、規制部９は、その厚板部２０を摘まんで前方へ引き倒すことで、薄肉部２１に沿って摘み部８から破断される。これにより、摘み部８の容器本体部５からの破断の規制が解除される。この際、規制部９は、下端部が板状部４に連接されており、板状部４から切り離されない。その後、前記実施例１と同様に、容器本体部５に対して摘み部８をねじることで、薬液容器１が開封される。
【００３３】
前記各実施例の薬液容器１によれば、規制部９が摘み部８から破断された後、摘み部８が容器本体部５から破断されて開封される。このようにして、容器１の開封が規制されており、その規制の解除後に開封できる構成とされているため、小さな子供が容易に開封することができない。しかも、簡易な構成でそれを実現することができる。
【００３４】
本発明の薬液容器は、前記各実施例の構成に限らず、適宜変更可能である。たとえば、前記各実施例では、規制部９は、逆Ｕ字状に形成されたが、下方へ開口したコ字形状に形成してもよい。この場合、長方形状の摘み部８の外側縁部に、下方へ開口したコ字形の線状の薄肉部２１を介して、規制部９の内側縁部が連接される。
【００３５】
前記実施例１では、規制部９は、摘み部８に対して、左右方向中央部において左右方向に離脱されたが、左右方向中央部において板状部４の板面と直交する方向に離脱してもよい。具体的には、各板片１９の厚板部２０を摘まんで、前後方向へ互いに離隔するように倒すことで、薄肉部１８に沿って板片１９，１９が分離されると共に、薄肉部２１に沿って摘み部８から各板片１９が破断される。
【００３６】
前記実施例２では、規制部９は、摘み部８から破断する際に前方へ引き倒されたが、後方へ押し倒してもよい。これにより、前方へ引き倒した場合と同様に、薄肉部２１に沿って、摘み部８から規制部９が破断される。
【００３７】
前記各実施例の薬液容器１は、線状の薄肉部を介して、左右方向に複数連接することができる。このようにすれば、多数の薬液容器１を同時に製造することができ、また携帯にも都合が良い。薬液容器１を複数連接する場合には、それぞれの薬液容器１を同一寸法に形成して、薬液容器１の左右側面に破断可能な薄肉部を設けるようにすると、全体が矩形となり、機能性、デザイン性に優れたものとすることができる。
【符号の説明】
【００３８】
１  薬液容器
２  薬液
３  収容部
４  板状部
５  容器本体部
６  首部
７  蓋部
８  摘み部
９  規制部
【図１】
0005694704.tif 000002
【図２】
0005694704.tif 000003
【図３】
0005694704.tif 000004
【図４】
0005694704.tif 000005
【図５】
0005694704.tif 000006
【図６】
0005694704.tif 000007
【図７】
0005694704.tif 000008